(57)【特許請求の範囲】
【請求項１】
脚（１）により支持された基台（２）上に潅水槽（４）を設置する棚（３）を配設し、前記脚（１）を板状の素材を以て形成するとともに、その幅が上端部に向けて漸増するように形成した園芸用ベンチにおいて、前記脚（１）の上端部を断面略Ｌ形状に形成するとともに、その長手方向の途中位置から下端部を断面略Ｌ形状の稜線部を内側に折り曲げた断面略Ｗ形状に、かつ、その折曲量が下端部に向けて漸増するように形成したことを特徴とする園芸用ベンチ。
【請求項２】
脚（１）の下端に、ドーム形状をした外殻部材（６１）の内部に発泡プラスチック（６２）を充填した接地部材（６）を配設したことを特徴とする請求項１記載の園芸用ベンチ。
【請求項３】
脚（１）の下端に、地面（９）に敷設したレール（８ａ，８ｂ）上を転動する車輪（７ａ，７ｂ）を配設したことを特徴とする請求項１記載の園芸用ベンチ。
【発明の詳細な説明】
【０００１】
【発明の属する技術分野】
本発明は、温室やビニールハウス内において鉢物や種苗の栽培に使用する園芸用ベンチに関するものである。
【０００２】
【従来の技術】
温室やビニールハウス内において鉢物や種苗を栽培するために、従来より、園芸用ベンチが用いられている。
この園芸用ベンチは、脚により支持された基台上に棚を配設し、この棚に自動的に給排水と水位調整を行う機能を備えた潅水槽を設置して構成することにより、潅水槽上に載置した鉢物や種苗を効率よく栽培できるようにしていた。
【０００３】
【発明が解決しようとする課題】
ところで、この園芸用ベンチの基台を支持する脚には、その上部構造の重量に加えて、潅水槽上に載置した鉢物等及び潅水槽に貯留される水の重量がかかることになり、特に、基台上にローラを介して棚を配設し、棚を基台に対して移動できるようにした園芸用ベンチ（例えば、実公昭６２ー３０９２０号公報参照）にあっては、棚の移動時にさらに大きな負荷が脚に作用するため、脚を強固な構造にする必要があり、このため、脚には、円管又は角管が一般的に使用されている。
しかしながら、脚に円管又は角管を使用した場合、脚自体の強度は大きくなるものの、脚をボルト・ナット等により直接基台に接合することが困難となったり、タイバー等の補強部材を配設する必要がある等、脚と基台の接合方法に制約が生じ、このため、脚と基台の接合を含む園芸用ベンチの組立に手間とコストを要するという問題があった。
【０００４】
上記の問題点に鑑み、本発明は、強度が大きく、かつ、脚と基台の接合方法に制約のない脚を備えた園芸用ベンチを提供することを目的とする。
【０００５】
【課題を解決するための手段】
上記目的を達成するため、本発明の園芸用ベンチは、脚により支持された基台上に潅水槽を設置する棚を配設し、前記脚を板状の素材を以て形成するとともに、その幅が上端部に向けて漸増するように形成した園芸用ベンチにおいて、前記脚（１）の上端部を断面略Ｌ形状に形成するとともに、その長手方向の途中位置から下端部を断面略Ｌ形状の稜線部を内側に折り曲げた断面略Ｗ形状に、かつ、その折曲量が下端部に向けて漸増するように形成したことを特徴とする
【０００６】
これにより、脚の強度が大きくできるとともに、脚をボルト・ナット等により直接基台に接合することができ、脚と基台の接合を含む園芸用ベンチの組立を簡易に行うことができる。
【０００７】
また、脚の下端に、ドーム形状をした外殻部材の内部に発泡プラスチックを充填した接地部材を配設することができる。
これにより、脚の接地面積が大きくなり、軟弱な地面上に園芸用ベンチを直接載置した場合でも、脚が地面にめり込むことを防止できるとともに、脚の下端に固定した外殻部材は、ドーム形状をし、さらに、その内部に発泡プラスチックが充填されているため、外殻部材自体の強度（剛性）の要求値が低く、外殻部材の厚みを薄くすることができ、このため、地面載置物体の脚部の重量の増加を最小限に抑えることができる。
【０００８】
また、脚の下端に、地面に敷設したレール上を転動する車輪を配設することができる。
これにより、園芸用ベンチを地面に敷設したレールに沿って移動できるようになるため、通路や作業空間を自由に確保することができる。
【０００９】
【発明の実施の形態】
以下、本発明の園芸用ベンチの実施の形態を図面に基づいて説明する。
【００１０】
図１〜図５は、本発明の園芸用ベンチの一例を示す。
この園芸用ベンチは、脚１により支持された基台２上にローラ５を介して棚３を配設し、この棚３に自動的に給排水と水位調整を行う機能を備えた潅水槽４を設置したものである。
【００１１】
脚１は、図３に示すように、上端部を断面略Ｌ形状に形成するとともに、その長手方向の途中位置から下端部を断面略Ｌ形状の稜線部１２を内側に折り曲げた断面略Ｗ形状に、かつ、その折曲量が下端部に向けて漸増するように形成されている。
また、脚１の強度を大きくするため、脚１の上端部の幅Ｗ1を下端部の幅Ｗ2より大きく形成する。
この場合において、脚１の上端部の適宜位置には、脚１をボルト・ナットにより直接基台２に接合するためのボルト孔１３を穿設するとともに、下端には、設置板１５を溶接により固定する。
設置板１５には適宜の接地部材を取り付けることができるようにボルト孔１６を穿設する。
また、脚１の外面部１１には、脚１の重量を軽減するために、その強度を低下させない範囲内で、空間部１４を形成することができる。
【００１２】
この脚１は、図４に示すような板状の素材を曲げ加工、具体的には、図４において、Ｌ1線及びＬ3線を山折り、Ｌ2線を谷折りすることにより得ることができる。
この場合において、Ｌ2線を滑らかな曲面として構成することもできる。
【００１３】
脚１の下端に固定した設置板１５には、ドーム形状をした外殻部材６１の内部に発泡プラスチック６２を充填した接地部材６を高さ調節機構を介して配設する。
接地部材６の外殻部材６１は、金属材料又は合成樹脂材料を用いて、プレス加工等によりドーム形状に形成されたもので、潅水槽４上に載置した鉢物等を含む園芸用ベンチの重量を支持し得る所定の強度（剛性）を有するものである。
外殻部材６１の大きさは、園芸用ベンチの重量、園芸用ベンチを載置する地盤の性状等に応じて決定されるが、通常、外殻部材６１の直径は、２００〜３００mm程度に設定する。
また、外殻部材６１の平面形状は、本例に示す円形に限定されず、楕円形や矩形等、任意の形状を採用することができる。
外殻部材６１の内部に充填される発泡プラスチック６２は、脚部１の接地面積を大きくするためのもので、外殻部材６１と協同して園芸用ベンチの重量を支持し得るように、発泡プラスチックの材料及び発泡倍率を設定する。
発泡プラスチックの材料は、具体的には、発泡ポリスチレン、発泡ポリエチレン、発泡ポリプロピレン等の発泡プラスチックを使用することができ、また、発泡倍率は、発泡プラスチックの材料によっても異なるが、通常、４０倍以下程度の発泡倍率に設定することが望ましい。
高さ調節機構は、脚１の設置板１５に溶接等により固定したナット部材１７と、このナット部材１７に上部を螺合するとともに、下端を外殻部材６１の頂面に溶接等により固定したボルト部材６３とからなり、ナット部材１７に対するボルト部材６３の螺合位置を変更することにより、高さの調節を行うものである。
なお、高さ調節機構は、上記のものに限定されず、その他の公知の機構を適用することができる。
【００１４】
ところで、この園芸用ベンチは、図２に示すように、基台２上にローラ５を介して潅水槽４を設置する棚３を配設して、棚３を基台２に対して所定距離Ｄだけ移動できるようにし、これにより、棚３を移動することによって通路や作業空間を確保できるようにしたものである。
この場合において、基台２の上面及び棚３の梁部材３１の下面には、棚３の移動距離を規制するために、それぞれストッパ２１，３２を突設し、ストッパ２１とストッパ３２の間でローラ５が転動するように構成する。
また、ローラ５の両端には、ローラ５の軸方向の移動を規制するために、フランジ５１を形成する。
【００１５】
図６（ａ）、（ｂ）は、園芸用ベンチの脚の変形例をそれぞれ示す。
この脚は、脚１の下端に固定した設置板１５に溶接等により固定したナット部材１７に、地面９に敷設した山形材（図６（ａ））又はＨ形材（図６（ｂ））等からなるレール８ａ，８ｂ上を転動する車輪７ａ，７ｂを、ナット部材１７に対する螺合位置を変更することにより高さ調節可能に配設して、園芸用ベンチを地面に敷設したレール８ａ，８ｂに沿って移動できるようし、これにより、園芸用ベンチを移動することによって通路や作業空間を確保できるようにしたものである。
この場合において、特に限定はされないが、レール８ａ，８ｂの敷設方向、すなわち、園芸用ベンチの移動方向は、園芸用ベンチの外縁に沿って通路や作業空間を確保できるように、基台２に対する棚３の移動方向に対して、直角方向に設定することが望ましい。
【００１６】
図７は、園芸用ベンチの脚の変形例を示す。
この脚１ａは、板状の素材を以て形成するとともに、その幅が上端部に向けて漸増するように、すなわち、脚１ａの上端部の幅Ｗ1が下端部の幅Ｗ2より大きくなるように形成したものである。
この場合において、脚１ａの上端部の適宜位置には、脚１ａをボルト・ナットにより直接基台２に接合するためのボルト孔１３を穿設するとともに、下端には、設置板１５を脚１ａの下端を曲げ加工して形成する。
また、設置板１５には、ドーム形状をした外殻部材の内部に発泡プラスチックを充填した接地部材６を高さ調節機構１７，６３を介して配設する。
また、脚１には、脚１の重量を軽減するために、その強度を低下させない範囲内で、空間部１４を形成することができる。
なお、接地部材６の外殻部材は、脚１の外面部１１に空間部１４を形成する際に発生する廃材を利用し、これをプレス加工して形成することができる。
また、設置板１５を脚１ａとは別部材で構成し、これを脚１ａの下端に溶接により固定することもできる。
【００１７】
図８は、園芸用ベンチの脚の変形例を示す。
この脚１ｂは、板状の素材を曲げ加工して断面略Ｌ形状に形成するとともに、その幅が上端部に向けて漸増するように、すなわち、脚１ｂの上端部の幅Ｗ1が下端部の幅Ｗ2より大きくなるように形成したものである。
この場合において、脚１ｂの上端部の適宜位置には、脚１ｂをボルト・ナットにより直接基台２に接合するためのボルト孔１３を穿設するとともに、下端には、設置板１５を溶接により固定する。
また、設置板１５には、ドーム形状をした外殻部材の内部に発泡プラスチックを充填した接地部材６を高さ調節機構１７，６３を介して配設する。
また、脚１には、脚１の重量を軽減するために、その強度を低下させない範囲内で、空間部１４を形成することができる。
なお、本例では、断面略Ｌ形状に形成した脚１ｂの稜線１２ｂが垂直になるように脚１ｂを構成しているが、稜線１２ｂが傾斜するように、すなわち、脚の下端部が基台から外側に張り出すように構成したり、あるいは、基台の内側に入り込むように構成することもできる。
【００１８】
また、図７及び図８に示す園芸用ベンチの脚において、接地部材６に代えて、図６（ａ）、（ｂ）に示すようなレール上を転動する車輪、その他の接地部材を配設することもできる。
【００１９】
【発明の効果】
請求項１記載の発明によれば、脚を板状の素材を以て形成するとともに、その幅が上端部に向けて漸増するように形成することにより、脚の強度を大きくできるとともに、脚をボルト・ナット等により直接基台に強固に接合することができ、脚と基台の接合を含む園芸用ベンチの組立を簡易に、かつ低廉に行うことができる。
【００２０】
さらに、脚の上端部を断面略Ｌ形状に形成するとともに、その長手方向の途中位置から下端部を断面略Ｌ形状の稜線部を内側に折り曲げた断面略Ｗ形状に、かつ、その折曲量が下端部に向けて漸増するように形成することにより、脚の曲げ強度をより大きくでき、園芸用ベンチを安定して載置することができる。
【００２１】
また、請求項２記載の発明によれば、脚の接地面積が大きくなり、軟弱な地面上に園芸用ベンチを直接載置した場合でも、脚が地面にめり込むことを防止できるとともに、脚の下端に固定した外殻部材は、ドーム形状をし、さらに、その内部に発泡プラスチックが充填されているため、外殻部材自体の強度（剛性）の要求値が低く、外殻部材の厚みを薄くすることができ、このため、園芸用ベンチの脚部の重量の増加を最小限に抑えることができる。
また、外殻部材の内部に発泡プラスチックを充填しているため、脚の接地面と地面との馴染みがよく、地面の若干の凹凸や砂等の異物の影響を吸収して、園芸用ベンチを地面上に安定して載置することができる。
【００２２】
また、請求項３記載の発明によれば、園芸用ベンチを地面に敷設したレールに沿って移動できるようになるため、通路や作業空間を自由に確保することができ、温室やビニールハウス内の作業効率を向上することができるとともに、温室やビニールハウス内の鉢物や種苗の栽培に使用することができる面積を拡大することができる。
【図面の簡単な説明】
【図１】本発明の園芸用ベンチを示す正面図である。
【図２】図１のＩ−Ｉ線の断面図である。
【図３】本発明の園芸用ベンチの脚を示し、（ａ）は平面図、（ｂ）は正面図、（ｃ）は底面図、（ｄ）は（ｂ）のII−II線の断面図である。
【図４】本発明の園芸用ベンチの脚の展開図である。
【図５】（ａ）は本発明の園芸用ベンチの接地部材を配設した脚の平面図、（ｂ）は接地部材の断面図である。
【図６】本発明の園芸用ベンチの脚の変形例を示す側面図である。
【図７】本発明の園芸用ベンチの脚の変形例を示し、（ａ）は平面図、（ｂ）は正面図である。
【図８】本発明の園芸用ベンチの脚の変形例を示し、（ａ）は平面図、（ｂ）は正面図である。
【符号の説明】
１  脚
１ａ  脚
１ｂ  脚
２  基台
３  棚
４  潅水槽
５  ローラ
６  接地部材
６１  外殻部材
６２  発泡プラスチック
７ａ  車輪
７ｂ  車輪
８ａ  レール
８ｂ  レール
【図１】
0003565651.tif 000002
【図２】
0003565651.tif 000003
【図３】
0003565651.tif 000004
【図４】
0003565651.tif 000005
【図５】
0003565651.tif 000006
【図６】
0003565651.tif 000007
【図７】
0003565651.tif 000008
【図８】
0003565651.tif 000009